(57)【特許請求の範囲】
【請求項１】
フローリングエレメント（２）における伸縮目地を橋渡しするための異形材レールシステムであって、フローリングエレメント（２）が、アンダカットされた溝・キー異形成形部（３，４）によって係止可能に互いに保持されている形式のものにおいて、当該異形材レールシステム（１）が、互いに伸縮可能な少なくとも２つの異形材レール（５，６）を有しており、該異形材レール（５，６）のうち、少なくとも１つの異形材レールが、フローリングエレメント（２）に向かい合った端面に、アンダカットされた溝異形成形部（１９）および／またはキー異形成形部（１５）を有しており、該溝異形成形部（１９）および／または該キー異形成形部（１５）が、フローリングエレメント（２）の溝・キー異形成形部（３，４）に嵌合するように形成されており、異形材レール（５，６）が、フローリングエレメント（２）に、向かい合って位置する溝（３，１９）内へのキー（４，１５）の傾倒による当付けと押込みとによって端面側で結合可能であり、異形材レール（５，６）が、フローリングエレメント（２）に対する高さ適合のために、土台レール（７）に解離可能に載着されていることを特徴とする、フローリングエレメントにおける伸縮目地を橋渡しするための異形材レールシステム。
【発明の詳細な説明】
【技術分野】
【０００１】
本発明は、フローリングエレメントにおける伸縮目地、フローリング移行部もしくは切欠きを橋渡しするためのかつ／または縁閉鎖体もしくは壁閉鎖体としての異形材レールシステムであって、フローリングエレメントが、アンダカットされた溝・キー異形成形部によって係止可能に互いに保持されている形式のものに関する。
【背景技術】
【０００２】
ドイツ連邦共和国実用新案第２０２００４０００７０６号明細書に基づき、フローリング移行部を橋渡しするための異形材レールシステムが公知である。この公知の異形材レールシステムは３つの異形材レール、つまり、伸縮目地内に位置固定されるベース異形材と、ジョイント異形材と、カバー異形材とから成っている。このカバー異形材は２つのカバー脚部を有している。両カバー脚部は、隣接したフローリングエレメントに上面側で上方から係合する。この異形材レールシステムは、実際に良好に有効であることが分かっていて、本発明の出発点を成している。
【特許文献１】ドイツ連邦共和国実用新案第２０２００４０００７０６号明細書
【発明の開示】
【発明が解決しようとする課題】
【０００３】
本発明の課題は、冒頭で述べた形式の異形材レールシステムを改良して、異形材レールシステムが簡単に敷設可能であり、減少させられた事故危険を提供するようにすることである。
【課題を解決するための手段】
【０００４】
この課題を解決するために本発明の構成では、当該異形材レールシステムが、互いに伸縮可能な少なくとも２つの異形材レールを有しており、該異形材レールのうち、少なくとも１つの異形材レールが、フローリングエレメントに向かい合った端面に、アンダカットされた溝異形成形部および／またはキー異形成形部を有しており、該溝異形成形部および／または該キー異形成形部が、フローリングエレメントの溝・キー異形成形部に嵌合するように形成されており、これによって、異形材レールが、フローリングエレメントに、向かい合って位置する溝内へのキーの傾倒による当付けと押込みとによって端面側で結合されるようになっているようにした。
【発明の効果】
【０００５】
請求項１記載の異形材レールシステムは、伸縮目地を橋渡しするために使用されるものの、フローリングエレメントの間の切欠きを橋渡しするためにも使用される。このような切欠きは、特に点検室またはこれに類するものの領域に生ぜしめられる。さらに、異形材レールシステムを縁閉鎖体として使用するかもしくはフローリング移行部の橋渡しのために使用することが考えられている。フローリングエレメントは、アンダカットされた溝・キー異形成形部によって係止可能に互いに保持されており、これによって、僅かな組付け手間で相応のフローリングを敷設することができる。特に異形材レールシステムの敷設手間を可能な限り小さく保つためには、この異形材レールシステムが、互いに伸縮可能なもしくは互いに内外で差合せ可能な少なくとも２つの異形材レールを有している。これによって、異形材レールシステムの、伸縮目地のために必要となる永続的な幅適合が得られる。異形材レールの伸縮可能性に基づき、この異形材レールはフローリングエレメントの移動を問題なく一緒に行うことができる。この場合、異形材レールに対するフローリングエレメントの相対的な移動が可能となる必要はない。これによって、フローリングエレメントに上方から係合する代わりに、異形材レールを直接端面側でフローリングエレメントに位置固定することができる。フローリングエレメントを異形材レールに結合するためには、この異形材レールが、互いに反対の側に溝異形成形部もしくはキー異形成形部を有している。この異形成形部はフローリングエレメントの溝・キー異形成形部に嵌合するように形成されている。こうして、一貫したフローリングが生ぜしめられる。このフローリングは、伸縮目地もしくは点検室の領域にも、十分に固い結合部を有している。特にフローリング移行部ならびに縁閉鎖部では、異形成形部を片側でしか異形材レールシステムに設けなくても十分である。このことは、別の理由から、フローリングエレメントへの異形材レールシステムの端面側での位置固定を片側でしか行いたくない場合にも考えることができる。異形材レールシステムの組付けのためには、異形材レールもしくはフローリングエレメントが簡単に傾倒により当て付けられ、次いで、キーが、向かい合って位置する溝内に押し込まれる。これによって、異形材レールシステムの組付けが、フローリングエレメント自体の敷設とほぼ異なっていない。したがって、フローリング全体の敷設を、訓練されていない人によっても問題なく実施することができる。公知の異形材レールシステムで必要となるような、特に異形材レールシステムを正確に伸縮目地に方向付ける必要性がなくなる。フローリングエレメントと異形材レールとの間の係止結合によって、両部材相互の正確な方向付けすら生ぜしめられる。さらに、異形材レールは端面側でフローリングエレメントに結合されているので、異形材レールがフローリングエレメントにもはや上方から係合する必要がないという利点が得られる。ここでは、異形材レールの領域でつまずく危険が相応に減少させられる。
【０００６】
異形材レール相互の所望の伸縮可能性を簡単に実現するために、請求項２によれば、異形材レールの１つが、表面付近のウェブを有しており、該ウェブが、向かい合って位置する異形材レールの収容ポケット内に摺動可能に進入していると有利である。こうして、ほぼ係数２だけ異形材レールシステムの幅適合を得ることができる。
【０００７】
困難な組付け条件でも、フローリングエレメントへの異形材レールの申し分のない当付けを保証するために、請求項３によれば、異形材レールが、ばね弾性的に互いに押し離されていると有利である。有利には、ばねが収容ポケット内に設けられていて、直接ウェブを押圧している。
【０００８】
収容ポケット内に進入したウェブによって、互いに突き合わされた異形材レールの間に強制的にある程度の高さずれが生ぜしめられる。この高さずれによる異形材レールシステムの外観を過剰に損なわないために、請求項４によれば、異形材レールが、表面側で溝付けされていると有利である。この溝付けによって、高さずれがあまり目立たなくなる。これによって、視覚的な印象が相応に改善される。
【０００９】
異形材レールシステムによって生ぜしめられるつまずきの危険を排除するために、請求項５によれば、異形材レールの少なくとも１つが、上面側で、隣接したフローリングエレメントにほぼ整合していると有利である。特に異形材レールシステムが、ただ１つの箇所でもフローリングエレメントの高さを越えて突出しないように形成されていることが提案されている。こうして、異形材レールでのつまずきが排除されている。
【００１０】
それぞれ異なるフローリング厚さに対する異形材レールの適合のために、請求項６によれば、異形材レールが、土台レールに解離可能に支持されていると有利である。この土台レールは、かなり簡単にひいては廉価に異形成形することができる。適切な土台レールの相応の選択によって、異形材レールシステムの所望のあらゆる厚さを、各フローリングエレメントに対する適合のために実現することができる。
【００１１】
異形材レールシステムを一層フレキシブルに使用可能にするために、請求項７によれば、異形材レールが、土台レールに対して高さ調節可能であると共にロック可能であると有利である。これによって、異形材レールと土台レールとの組合せにより、多数のフローリング厚さをカバーすることができる。このことは、製作・貯蔵手間を減少させる。
【００１２】
異形材レールシステムの簡単な組付け可能性を得るために、請求項８によれば、異形材レールが、土台レールに保持手段によって結合可能であると有利である。これによって、異形材レールが固いユニットを形成していて、自体問題なく敷設され得る。
【００１３】
異形材レールもしくは土台レールの十分な剛性を得るために、請求項９によれば、異形材レールと土台レールとが、互いに向き合わされた補強リブを有している。
【００１４】
異形材レールシステムをフローリング移行部の橋渡しのために使用することができるようにするために、請求項１０によれば、異形材レールが、上面側で高さに関してずらされていると有利である。有利には、この高さずれは伸縮部の外部に位置しており、これによって、伸縮運動が水平方向に保たれ、鉛直方向運動に結び付けられない。
【００１５】
異形材レールシステムの有利な視覚的な印象を発生させるために、請求項１１によれば、異形材レールが、上面側で装飾シートによって被覆されていると有利である。この装飾シートが、フローリングエレメントの装飾に適合されていると有利であり、これによって、異形材レールシステムが、完全に敷設されたフローリングでほとんど感じられなくなる。
【発明を実施するための最良の形態】
【００１６】
以下に、本発明を実施するための最良の形態を図面につき詳しく説明する。
【００１７】
図１には、フローリングエレメント２を備えた異形材レールシステム１の斜視図が示してある。フローリングエレメント２は端面側に、アンダカットされた溝３を有しているかもしくはキー４を有している。この溝３もしくはキー４によって、係止結合による組付けが可能となる。溝３とキー４とは互いにほぼ嵌合するように形成されている。この場合、一方のフローリングエレメント２の傾倒による当付けと、この当付けに続く、両フローリングエレメント２の押合せとによって、フローリングエレメント２の確実な結合部を形成することができる。こうして、特にフローリングエレメント２の間の結合部を膠着するかまたはフローリングエレメント２に互いにプリロードをかける、つまり、予備荷重を加えることが不要となる。したがって、フローリングエレメント２の組付けが、訓練されていない人によっても可能となる。
【００１８】
異形材レールシステム１は２つの異形材レール５，６と２つの土台レール７とから成っている。両土台レール７はほぼＵ字形に形成されていて、複数の補強リブ８を有している。これらの補強リブ８はほぼ上方に向けられている。さらに、土台レール７は縁側の鉛直なウェブ９を有している。このウェブ９には、異形材レール５，６の、下方に向けられた鉛直なウェブ１１を位置固定するための収容部１０が位置固定可能である。有利には、この収容部１０は僅かなアンダカットを備えて形成されており、これによって、異形材レール５と土台レール７との、確実であるにもかかわらず、解離可能な結合部が実現される。土台レール７をそれぞれ異なる構造高さで実現することが考えられており、こうして、フローリングエレメント２の厚さに対する異形材レールシステム１の個々の高さ適合が実現される。
【００１９】
さらに、土台レール７の補強リブ８は、異形材レールシステム１の段階的な高さ調節可能性の実現の機能を有している。土台レール７が、破線で示した位置にもたらされると、土台レール７の補強リブ８が鉛直なウェブ１１と異形材レール５の補強リブ１８とに接触する。こうして、異形材レールシステム１のより僅かな構造高さが実現される。土台レール７の省略によって、一層僅かな構造高さを実現することができる。さらに、まだ別の補強リブ１８を設けることが考えられており、こうして、別の高さ段を実現することができる。
【００２０】
右側に図示した土台レール７では、択一的に、異形材レール６の微細段階的な個々の高さ調節可能性が示してある。この目的のためには、収容部１０が歯列１２を有している。この歯列１２は、異形材レール６の鉛直なウェブ１１の歯列１３に対応している。こうして、鉛直なウェブ１１が収容部１０内にどのくらい深く押し込まれるかに応じて、不変の異形材レールで異形材レールシステム１の個々の高さ適合を行うことができる。異形材レールシステム１の十分な踏まれ強さを得るためには、異形材レール６と土台レール７とが互いに接着されてよい。択一的には、この異形材レール６と土台レール７との間に嵌合条片１４を嵌め込むことも考えられている。この嵌合条片１４は、一方で土台レール７の鉛直なウェブ９に支持されていて、他方で異形材レール６に支持されている。このような形式の嵌合条片１４は極めて簡単に形成されていて、僅かなコスト手間でそれぞれ異なる高さに対して製作することができる。嵌合条片１４は、足踏み荷重の発生時の収容部１０内への鉛直なウェブ１１の望ましくない押込みを阻止する。
【００２１】
異形材レール５はその鉛直なウェブ１１で土台レール７に固く結合されている。縁側に異形材レール５はキー１５を有している。このキー１５は、フローリングエレメント２のキー４とほぼ同様に形成されている。この場合、キー１５は、異形材レール５が、この異形材レール５とフローリングエレメント２との、角度を備えた互いに相対的な当付けと、この当付けに続く、溝３内へのキー１５の押込みとによって組み付けられるように成形されている。
【００２２】
さらに、異形材レール５は収容ポケット１６を有している。この収容ポケット１６は、異形材レール６のウェブ１７に対するスライダガイドを形成している。これによって、異形材レールシステムが、基礎の完全なカバーを形成している。この場合、異形材レール５，６は互いに伸縮可能である。これによって、フローリングエレメント２の間に自由に保持される伸縮目地の所望の幅調整が可能となる。さらに、異形材レール５は補強リブ１８を有している。この補強リブ１８は鉛直方向下側に向けられている。
【００２３】
異形材レール６はその端領域に、アンダカットされた溝１９を有している。この溝１９は、フローリングエレメント２の溝３とほぼ同様に形成されている。これによって、両異形材レール５，６を相応の係止結合を介してフローリングエレメント２に結合することができる。この場合、この結合は専ら端面側で行われる。この場合、異形材レール５，６は、上面側でフローリングエレメント２の表面２’に整合して延びているように形成されている。
【００２４】
キー１５の省略または溝１９を取り囲む異形材の省略によって、極めて簡単に縁閉鎖異形材を実現することができる。このことは、図１に破線２０によって示してある。この変更は、異形材レールシステムの片側の位置固定しか行いたくない事例でも有利である。この場合、後続のフローリングエレメントもしくは壁に対する異形材レール６の綺麗な当付けを得るために、ウェブ１７が、収容ポケット１６内に設けられたばね２２によって弾性的にこの収容ポケット１６から押し出される。択一的には、異形材レール６が基礎に位置固定されてもよく、特にこの基礎にねじ締結されてもよいし、接着されてもよい。
【００２５】
さらに、異形材レール５，６は、一点鎖線で図示した高さ補償脚部２１を実現するために、下向きに引っ張られていてもよい。この場合、この高さ補償脚部２１は整合してウェブ１７に延びており、これによって、異形材レール６に上面側でもはや段部が生ぜしめられない。
【図面の簡単な説明】
【００２６】
【図１】本発明による異形材レールシステムの斜視図である。
【符号の説明】
【００２７】
１  異形材レールシステム、  ２  フローリングエレメント、  ２’  表面、  ３  溝、  ４  キー、  ５  異形材レール、  ６  異形材レール、  ７  土台レール、  ８  補強リブ、  ９  ウェブ、  １０  収容部、  １１  ウェブ、  １２  歯列、  １３  歯列、  １４  嵌合条片、  １５  キー、  １６  収容ポケット、  １７  ウェブ、  １８  補強リブ、  １９  溝、  ２０  破線、  ２１  高さ補償脚部、  ２２  ばね
【図１】
0004582655.tif 000002